(57)【要約】    【課題】クロスカラー及びドット妨害を生じさせることなくＰＡＬ方式の複合ビデオ信号から色信号成分及び輝度信号成分を分離抽出することができるＹＣ分離回路を適用することを目的とする。    【解決手段】映像信号に対して各水平走査ラインを処理対象としてＹＣ分離を行うにあたり、処理対象ラインの２ライン下方に位置する下方ラインとの下方相関量を（１／Ｋ）倍した値よりも、処理対象ラインの２ライン上方に位置する上方ラインとの上方相関量の方が小である場合には、処理対象ライン及び上記上方ライン各々に対応した映像信号に基づいて色信号を得る。又、上方相関量を（１／Ｋ）倍した値よりも下方相関量の方が小である場合には、上記処理対象ライン及び下方ライン各々に対応した映像信号に基づいて色信号を得る。又、上方相関量と下方相関量との差が所定値よりも小となる場合には、上記処理対象ライン、上方ライン及び下方ラインの３つのライン各々に対応した映像信号に基づいて色信号を得る。    【選択図】  図１
2006157576.tif 000002
【特許請求の範囲】
【請求項１】
ＰＡＬ方式の映像信号を１水平走査ライン分毎に処理対象として前記映像信号から輝度信号及び色信号を夫々分離抽出するＹＣ分離回路であって、
処理対象ラインに対応した前記映像信号と前記処理対象ラインよりも２ライン上の上方ラインに対応した前記映像信号とに基づいて第１色信号を生成し、前記処理対象ラインに対応した前記映像信号と前記処理対象ラインよりも２ライン下の下方ラインに対応した前記映像信号とに基づいて第２色信号を生成し、前記処理対象ライン、前記上方ライン及び前記下方ライン各々に対応した前記映像信号に基づいて第３色信号を生成する適応型コムフィルタと、
前記処理対象ラインに対応した前記映像信号と前記上方ラインに対応した前記映像信号との相関量を示す上方相関量を検出すると共に、前記処理対象ラインに対応した前記映像信号と前記下方ラインに対応した前記映像信号との相関量を示す下方相関量を検出する相関検出回路と、
前記上方相関量が前記下方相関量の（１／Ｋ）倍（但しＫ＞１）よりも小なる場合には前記第１色信号を前記色信号として出力し、前記下方相関量が前記上方相関量の（１／Ｋ）倍よりも小なる場合には前記第２色信号を前記色信号として出力し、前記上方相関量と前記下方相関量との差が所定値よりも小なる場合には前記第３色信号を前記色信号として出力するセレクタと、
前記セレクタから出力される前記色信号と前記処理対象ラインに対応した前記映像信号とに基づいて前記輝度信号を生成するフィルタ回路と、を有することを特徴とするＹＣ分離回路。
【請求項２】
前記適応型コムフィルタは、前記処理対象ラインに対応した前記映像信号中の色帯域成分と前記上方ラインに対応した前記映像信号中の色帯域成分とに基づいて前記第１色信号を生成し、前記処理対象ラインに対応した前記映像信号中の色帯域成分と前記下方ラインに対応した前記映像信号中の色帯域成分とに基づいて前記第２色信号を生成し、前記処理対象ラインに対応した前記映像信号中の色帯域成分と前記上方ラインに対応した前記映像信号中の色帯域成分と前記下方ラインに対応した前記映像信号中の色帯域成分とに基づいて前記第３色信号を生成することを特徴とする請求項１記載のＹＣ分離回路。
【請求項３】
前記相関検出回路は、前記処理対象ラインに対応した前記映像信号中の色帯域成分と前記上方ラインに対応した前記映像信号中の色帯域成分との相関量と、前記処理対象ラインに対応した前記映像信号中の輝度帯域成分と前記上方ラインに対応した前記映像信号中の輝度帯域成分との相関量の内で小なる方を前記第１相関量として検出し、
前記処理対象ラインに対応した前記映像信号中の色帯域成分と前記下方ラインに対応した前記映像信号中の色帯域成分との相関量と、前記処理対象ラインに対応した前記映像信号中の輝度帯域成分と前記下方ラインに対応した前記映像信号中の輝度帯域成分との相関量の内で小なる方を前記第２相関量として検出することを特徴とする請求項１記載のＹＣ分離回路。
【請求項４】
前記相関検出回路は、前記処理対象ラインに対応した前記映像信号中の色帯域成分と前記上方ラインに対応した前記映像信号中の色帯域成分との加算結果の絶対値に基づいて色帯域成分に対する上方向の相関量を示す上方色相関値を求める第１演算回路と、
前記処理対象ラインに対応した前記映像信号中の色帯域成分と前記下方ラインに対応した前記映像信号中の色帯域成分との加算結果の絶対値に基づいて色帯域成分に対する下方向の相関量を示す下方色相関値を求める第２演算回路と、
前記処理対象ラインに対応した前記映像信号中の輝度帯域成分と前記上方ラインに対応した前記映像信号中の輝度帯域成分との差分の絶対値を第１上方ライン間輝度差信号として生成する第３演算回路と、
前記処理対象ラインに対応した前記映像信号中の輝度帯域成分と前記処理対象ラインよりも１ライン上のラインに対応した前記映像信号中の輝度帯域成分との差分の絶対値を第２上方ライン間輝度差信号として生成する第４演算回路と、
前記処理対象ラインに対応した前記映像信号中の輝度帯域成分と前記処理対象ラインよりも１ライン下のラインに対応した前記映像信号中の輝度帯域成分との差分の絶対値を第１下方ライン間輝度差信号として生成する第５演算回路と、
前記処理対象ラインに対応した前記映像信号中の輝度帯域成分と前記下方ラインに対応した前記映像信号中の輝度帯域成分との差分の絶対値を第２下方ライン間輝度差信号として生成する第６演算回路と、
前記第１上方ライン間輝度差信号と前記第２上方ライン間輝度差信号との平均値に基づいて輝度帯域成分に対する上方向の相関量を示す上方輝度相関値を求める第１平均回路と、
前記第１下方ライン間輝度差信号と前記第２下方ライン間輝度差信号との平均値に基づいて輝度帯域成分に対する下方向の相関量を示す下方輝度相関値を求める第２平均回路と、
前記上方色相関値及び前記上方輝度相関値の内で小なる方を前記上方相関量として出力する第１最小値選択回路と、
前記下方色相関値及び前記下方輝度相関値の内で小なる方を前記下方相関量として出力する第２最小値選択回路と、を有することを特徴とする請求項１記載のＹＣ分離回路。
【発明の詳細な説明】
【技術分野】
【０００１】
本発明は、複合ビデオ信号から輝度信号及び色信号を分離するＹＣ分離回路に関する。
【背景技術】
【０００２】
現在、複合ビデオ信号から輝度信号及び色信号を夫々分離抽出するＹ／Ｃ分離回路として２Ｈコムフィルタを採用したものが知られている（例えば、特許文献１参照）。かかるＹ／Ｃ分離回路は、先ず、入力された複合ビデオ信号に基づき第１の水平走査ライン上の所定のサンプル値を第１サンプリングポイント、このポイントの１ライン前の斜め左上のサンプル値を第２サンプリングポイント、第１サンプリングポイントの１ライン後の斜め右下のサンプル値を第３サンプリングポイントとして夫々抽出する。次に、第１の水平走査ラインに隣接する第２の水平走査ライン上の所定のサンプル値を第４サンプリングポイント、第４サンプリングポイントの１ライン前の斜め右上のサンプル値を第５サンプリングポイント、第４サンプリングポイントの１ライン後の斜め左下のサンプル値を第６サンプリングポイントとして抽出する。そして、第１及至第３サンプリングポイントと、第４及至第６サンプリングポイントとを夫々のライン属性に対応して切り換えつつ、各サンプリングポイントの値に対して垂直フィルタリング処理を施すことにより色信号成分を得ると共に、この色信号成分を複合ビデオ信号から減算することにより輝度信号成分を得る。
【０００３】
この際、かかるＹ／Ｃ分離回路においては、入力された複合ビデオ信号中の色信号成分が上側又は下側に隣接する水平走査ラインに対して相関を持つ場合には十分な分離性能が得られる。
【０００４】
ところが、複合ビデオ信号中の輝度信号成分が上側又は下側に隣接する水平走査ラインの内の一方向にしか相関を持たない場合には、良好な分離性能が得られず、クロスカラー及びドット妨害が生じる恐れがあるという問題があった。
【特許文献１】特開平０６−５４３４２号公報
【発明の開示】
【発明が解決しようとする課題】
【０００５】
本発明は、かかる問題を解決すべく為されたものであり、クロスカラー及びドット妨害を防止させつつＰＡＬ方式の複合ビデオ信号から色信号成分及び輝度信号成分を分離抽出することができるＹＣ分離回路を適用することを目的とする。
【課題を解決するための手段】
【０００６】
請求項１記載によるＹＣ分離回路は、ＰＡＬ方式の映像信号を１水平走査ライン分毎に処理対象として前記映像信号から輝度信号及び色信号を夫々分離抽出するＹＣ分離回路であって、処理対象ラインに対応した前記映像信号と前記処理対象ラインよりも２ライン上の上方ラインに対応した前記映像信号とに基づいて第１色信号を生成し、前記処理対象ラインに対応した前記映像信号と前記処理対象ラインよりも２ライン下の下方ラインに対応した前記映像信号とに基づいて第２色信号を生成し、前記処理対象ライン、前記上方ライン及び前記下方ライン各々に対応した前記映像信号に基づいて第３色信号を生成する適応型コムフィルタと、前記処理対象ラインに対応した前記映像信号と前記上方ラインに対応した前記映像信号との相関量を示す上方相関量を検出すると共に、前記処理対象ラインに対応した前記映像信号と前記下方ラインに対応した前記映像信号との相関量を示す下方相関量を検出する相関検出回路と、前記上方相関量が前記下方相関量の（１／Ｋ）倍（但しＫ＞１）よりも小なる場合には前記第１色信号を前記色信号として出力し、前記下方相関量が前記上方相関量の（１／Ｋ）倍よりも小なる場合には前記第２色信号を前記色信号として出力し、前記上方相関量と前記下方相関量との差が所定値よりも小なる場合には前記第３色信号を前記色信号として出力するセレクタと、前記セレクタから出力される前記色信号と前記処理対象ラインに対応した前記映像信号とに基づいて前記輝度信号を生成するフィルタ回路と、を有する。
【発明を実施するための最良の形態】
【０００７】
複合ビデオ信号を１水平走査ライン分毎に処理対象とし、その処理対象ラインよりも上方に位置する上方ラインとの上方相関量と、処理対象ラインよりも下方に位置する下方ラインとの下方相関量とを夫々求める。そして、下方相関量を（１／Ｋ）倍した値よりも上方相関量の方が小である場合には、上記処理対象ライン及び処理対象ラインよりも２ラインだけ上方に位置する上方ライン各々に対応した色副搬送波帯域信号に対してコムフィルタリング処理を施して得た上方コム処理結果信号を色信号として得る。又、上方相関量を（１／Ｋ）倍した値よりも下方相関量の方が小である場合には、上記処理対象ライン及び処理対象ラインよりも２ラインだけ下方に位置する下方ライン各々に対応した色副搬送波帯域信号に対してコムフィルタリング処理を施して得た下方コム処理結果信号を色信号として得る。又、上方相関量と下方相関量との差が所定値よりも小となる場合、上記処理対象ライン、上方ライン及び下方ラインの３つのライン各々に対応した色副搬送波帯域信号に対してコムフィルタリング処理を施して得られた適応コム処理結果信号を色信号として得る。
【実施例】
【０００８】
図１は、本発明によるＹＣ分離回路の構成を示す図である。
【０００９】
図１において、ラインメモリ４は、入力されたＰＡＬ方式の複合ビデオ信号を１水平走査期間だけ遅延してこれをＤラインビデオ信号として、ラインメモリ３及びＤライン遅延回路８に夫々供給する。ラインメモリ３は、上記Ｄラインビデオ信号を１水平走査期間だけ遅延してこれをＭラインビデオ信号として、ラインメモリ２及びＭラインフィルタ７に夫々供給する。ラインメモリ２は、上記Ｍラインビデオ信号を１水平走査期間だけ遅延してこれをＵラインビデオ信号として、ラインメモリ１及びＵライン遅延回路６に夫々供給する。ラインメモリ１は、上記Ｕラインビデオ信号を１水平走査期間だけ遅延してこれをＴラインビデオ信号としてＴラインフィルタ５に供給する。
【００１０】
Ｔラインフィルタ５は、上記Ｔラインビデオ信号中から色副搬送波周波数を含む周波数帯域を抽出して得られた信号をＴライン色副搬送波帯域信号ＢＰＦTCとし、これを相関検出器１０及び適応コムフィルタ１１に夫々供給する。更に、Ｔラインフィルタ５は、このＴラインビデオ信号中から色副搬送波周波数を含む周波数帯域を抽出するのに費やした処理時間Ｔだけ、上記Ｔラインビデオ信号を遅延させて得られたＴラインビデオ信号ＣＶＢＳTCを相関検出器１０に供給する。Ｕライン遅延回路６は、上記処理時間Ｔの分だけ上記Ｕラインビデオ信号を遅延させて得られたＵラインビデオ信号ＣＶＢＳUCを相関検出器１０に供給する。Ｍラインフィルタ７は、上記Ｍラインビデオ信号中から色副搬送波周波数を含む周波数帯域を抽出して得られた信号をＭライン色副搬送波帯域信号ＢＰＦMCとし、これを相関検出器１０及び適応コムフィルタ１１に夫々供給する。更に、Ｍラインフィルタ７は、上記処理時間Ｔの分だけ上記Ｍラインビデオ信号を遅延させて得られたＭラインビデオ信号ＣＶＢＳMCを相関検出器１０及び遅延回路１４に供給する。Ｄライン遅延回路８は、上記処理時間Ｔの分だけ上記Ｄラインビデオ信号を遅延させて得られたＤラインビデオ信号ＣＶＢＳDCを相関検出器１０に供給する。Ｂラインフィルタ９は、入力された複合ビデオ信号中から色副搬送波周波数を含む周波数帯域を抽出して得られた信号をＢライン色副搬送波帯域信号ＢＰＦBCとし、これを相関検出器１０及び適応コムフィルタ１１に夫々供給する。更に、Ｂラインフィルタ９は、上記処理時間Ｔの分だけ入力複合ビデオ信号を遅延させて得られたＢラインビデオ信号ＣＶＢＳBCを相関検出器１０に供給する。
【００１１】
適応コムフィルタ１１は、上記Ｍライン色副搬送波帯域信号ＢＰＦMCとＴライン色副搬送波帯域信号ＢＰＦTCとの差分値の１／２を求めこの１／２差分値を示す信号を上方コム処理結果信号Ｔcombとしてセレクタ１５に供給する。又、適応コムフィルタ１１は、上記Ｍライン色副搬送波帯域信号ＢＰＦMCとＢライン色副搬送波帯域信号ＢＰＦBCとの差分値の１／２を求めこの１／２差分値を示す信号を下方コム処理結果信号Ｂcombとしてセレクタ１５に供給する。更に、適応コムフィルタ１１は、Ｔライン色副搬送波帯域信号ＢＰＦTCとＢライン色副搬送波帯域信号ＢＰＦBCとを加算し、その加算結果とＭライン色副搬送波帯域信号ＢＰＦMCとの差分値を適応コム処理結果信号Ａcombとしてセレクタ１５に供給する。尚、適応コムフィルタ１１は、Ｔライン色副搬送波帯域信号ＢＰＦTC、Ｂライン色副搬送波帯域信号ＢＰＦBC及びＭライン色副搬送波帯域信号ＢＰＦMCの平均値、又はＴライン色副搬送波帯域信号ＢＰＦTC及びＢライン色副搬送波帯域信号ＢＰＦBCの平均値、あるいはＭライン色副搬送波帯域信号ＢＰＦMC自体の値を適応コム処理結果信号Ａcombとするようにしても良い。
【００１２】
相関検出器１０は、上記Ｔライン色副搬送波帯域信号ＢＰＦTC、Ｍライン色副搬送波帯域信号ＢＰＦMC、Ｂライン色副搬送波帯域信号ＢＰＦBC、Ｔラインビデオ信号ＣＶＢＳTC、Ｕラインビデオ信号ＣＶＢＳUC、Ｍラインビデオ信号ＣＶＢＳMC、Ｄラインビデオ信号ＣＶＢＳDC、及びＢラインビデオ信号ＣＶＢＳBC各々に基づき、処理対象ラインにおける色帯域信号に対する隣接ライン間の相関量を検出する。この際、相関検出器１０は、処理対象ラインの上下に夫々隣接するラインの内の内の上側に隣接するラインとの相関量を示す上方相関値信号ＴＲＥＬ、並びに下側に隣接するラインとの相関量を示す下方相関値信号ＢＲＥＬをセレクタ１５に供給する。
【００１３】
図２は、かかる相関検出器１０の内部構成を示す図である。
【００１４】
図２において、加算器２１は、上記Ｔライン色副搬送波帯域信号ＢＰＦTCとＭライン色副搬送波帯域信号ＢＰＦMCとを加算しその加算結果を絶対値回路２７に供給する。絶対値回路２７は、かかる加算結果の絶対値を求めこれをライン間色差分信号ＣＲＥＬTCとして水平結合回路３３に供給する。すなわち、加算器２１及び絶対値回路２７は、例えば図３に示す如き、隣接する５つの水平走査ラインＴ、Ｕ、Ｍ、Ｄ、Ｂの内のラインＴに対応したＴライン色副搬送波帯域信号ＢＰＦTCと、ラインＭに対応したＭライン色副搬送波帯域信号ＢＰＦMCとの加算を、同一列に配列された画素（丸印にて示す）に対応したもの同士にて行う。例えば、図３においては、先ず、画素ＴＬに対応したＢＰＦTCと画素ＭＬに対応したＢＰＦMCとの加算結果の絶対値をライン間色差分信号ＣＲＥＬTCとして水平結合回路３３に供給する。尚、ここで得られたライン間色差分信号ＣＲＥＬTCをＣＲＥＬTC−１と称する。次に、画素ＴＣに対応したＢＰＦTCと画素ＭＣに対応したＢＰＦMCとの加算結果の絶対値をライン間色差分信号ＣＲＥＬTCとして水平結合回路３３に供給する。尚、ここで得られたライン間色差分信号ＣＲＥＬTCをＣＲＥＬTC−２と称する。次に、画素ＴＲに対応したＢＰＦTCと画素ＭＲに対応したＢＰＦMCとの加算結果の絶対値をライン間色差分信号ＣＲＥＬTCとして水平結合回路３３に供給する。尚、ここで得られたライン間色差分信号ＣＲＥＬTCをＣＲＥＬTC−３と称する。
【００１５】
水平結合回路３３は、ライン間色差分信号ＣＲＥＬTCを各画素毎にサンプリングして得たサンプル値系列中の各サンプル値を処理対象とし、その処理対象サンプル値の前後に隣接するサンプル値の内で大なる方のサンプル値と、上記処理対象サンプル値との加算を行う。すなわち、水平結合回路３３は、先ず、図３に示す如き中央列の左に隣接する列に属する画素（ＴＬ、ＭＬ）に対応したＣＲＥＬTC−１と、右側に隣接する列に属する画素（ＴＲ、ＭＲ）に対応したＣＲＥＬTC−３との大小比較を行う。そして、水平結合回路３３は、かかる大小比較の結果、ＣＲＥＬTC−１及びＣＲＥＬTC−３の内で大であると判定された方と、中央列に属する画素（ＴＣ、ＭＣ）に対応したＣＲＥＬTC−２との加算結果の値を色帯域成分に対する上方向の垂直相関の度合いを示す上方色相関値信号ＣＲＥＬＨTCとして最小値セレクタ４１に供給する。尚、Ｍラインの色副搬送波帯域信号とＴラインの色副搬送波帯域信号との相関が強いほど、上方色相関値信号ＣＲＥＬＨTCの値は小になる。
【００１６】
このように、加算器２１、絶対値回路２７及び水平結合回路３３では、図３に示す如きＭラインを処理対象とし、このＭラインよりも２ライン分上方に位置するＴライン上の色副搬送波帯域信号を用いることにより、複合ビデオ信号中の色副搬送波帯域信号における上方向に対する垂直相関を求めるのである。尚、加算器２１、絶対値回路２７及び水平結合回路３３においては、上方向の垂直相関を求める際に対象とすべきＭ及びＴライン各々上の画素として、図３に示す如き画素ＭＣ及び画素ＴＣのみならず、夫々の左方向に隣接する画素ＭＬ及びＴＬ、並びに右方向に隣接する画素ＭＲ及びＴＲをも用いるようにしている。つまり、色副搬送波帯域信号の０クロス近傍では例えＭ及びＴライン各々上の色副搬送波帯域信号ＢＰＦに相関が無くても、両者の差分値であるライン間色差分信号ＣＲＥＬが小なる値となるので、これを防止すべく画素ＭＣ及び画素ＴＣ夫々の左右方向に隣接する画素ＭＬ及びＴＬ、画素ＭＲ及びＴＲをも垂直相関量を求める際の対象としたのである。
【００１７】
加算器２２は、上記Ｂライン色副搬送波帯域信号ＢＰＦBCとＭライン色副搬送波帯域信号ＢＰＦMCとを加算しその加算結果を絶対値回路２８に供給する。絶対値回路２８は、かかる加算結果の絶対値を求めこれをライン間色差分信号ＣＲＥＬBCとして水平結合回路３４に供給する。すなわち、加算器２２及び絶対値回路２８は、例えば図３に示す如き、隣接する５つの水平走査ラインＴ、Ｕ、Ｍ、Ｄ、Ｂの内のラインＢに対応したＢライン色副搬送波帯域信号ＢＰＦBCと、ラインＭに対応したＭライン色副搬送波帯域信号ＢＰＦMCとの加算を、同一列に配列された画素（丸印にて示す）に対応したもの同士にて行う。例えば、図３においては、先ず、画素ＢＬに対応したＢＰＦBCと画素ＭＬに対応したＢＰＦMCとの加算結果の絶対値をライン間色差分信号ＣＲＥＬBCとして水平結合回路３４に供給する。尚、ここで得られたライン間色差分信号ＣＲＥＬBCをＣＲＥＬBC−１と称する。次に、画素ＢＣに対応したＢＰＦBCと画素ＭＣに対応したＢＰＦMCとの加算結果の絶対値をライン間色差分信号ＣＲＥＬBCとして水平結合回路３４に供給する。尚、ここで得られたライン間色差分信号ＣＲＥＬBCをＣＲＥＬBC−２と称する。次に、画素ＢＲに対応したＢＰＦBCと画素ＭＲに対応したＢＰＦMCとの加算結果の絶対値をライン間色差分信号ＣＲＥＬBCとして水平結合回路３４に供給する。尚、ここで得られたライン間色差分信号ＣＲＥＬBCをＣＲＥＬBC−３と称する。
【００１８】
水平結合回路３４は、ライン間色差分信号ＣＲＥＬBCを各画素毎にサンプリングして得たサンプル値系列中の各サンプル値を処理対象とし、その処理対象サンプル値の前後に隣接するサンプル値の内で大なる方のサンプル値と、上記処理対象サンプル値との加算を行う。すなわち、水平結合回路３４は、先ず、図３に示す如き中央列の左に隣接する列に属する画素（ＢＬ、ＭＬ）に対応したＣＲＥＬBC−１と、右側に隣接する列に属する画素（ＢＲ、ＭＲ）に対応したＣＲＥＬBC−３との大小比較を行う。そして、水平結合回路３４は、かかる大小比較の結果、ＣＲＥＬBC−１及びＣＲＥＬBC−３の内で大であると判定された方と、中央列に属する画素（ＢＣ、ＭＣ）に対応したＣＲＥＬBC−２との加算結果の値を色帯域成分に対する下方向の垂直相関の度合いを示す下方色相関値信号ＣＲＥＬＨBCとして最小値セレクタ４２に供給するのである。尚、Ｍラインの色副搬送波帯域信号とＢラインの色副搬送波帯域信号との相関が強いほど、下方色相関値信号ＣＲＥＬＨBCの値は小になる。
【００１９】
このように、加算器２２、絶対値回路２８及び水平結合回路３４においては、図３に示す如きＭラインを処理対象とし、このＭラインよりも２ライン下方に位置するＢライン上の色副搬送波帯域信号を用いることにより、複合ビデオ信号中の色副搬送波帯域信号における下方向に対する垂直相関を求めているのである。尚、加算器２２、絶対値回路２８及び水平結合回路３４においては、下方向の垂直相関を求める際に対象とすべきＭ及びＢライン各々上の画素として、図３に示す如き画素ＭＣ及び画素ＢＣのみならず、夫々の左方向に隣接する画素ＭＬ及びＢＬ、並びに右方向に隣接する画素ＭＲ及びＢＲをも用いるようにしている。つまり、色副搬送波帯域信号の０クロス近傍では例えＭ及びＢライン各々上の色副搬送波帯域信号ＢＰＦに相関が無くても、両者の差分値であるライン間色差分信号ＣＲＥＬBCが小なる値となってしまうので、これを防止すべく画素ＭＣ及び画素ＢＣ夫々の左右方向に隣接する画素ＭＬ及びＢＬ、画素ＭＲ及びＢＲをも垂直相関量を求める際の対象としたのである。
【００２０】
減算器２３は、上記Ｔラインビデオ信号ＣＶＢＳTCからＭラインビデオ信号ＣＶＢＳMCを減算しその減算結果を絶対値回路２９に供給する。絶対値回路２９は、かかる減算結果の絶対値を求めこれをライン間ビデオ差分信号ＷＲＥＬTCとして水平結合回路３５に供給する。すなわち、減算器２３及び絶対値回路２９は、例えば図３に示す如き、隣接する５つの水平走査ラインＴ、Ｕ、Ｍ、Ｄ、Ｂの内のラインＴに対応したＴラインビデオ信号ＣＶＢＳTCと、ラインＭに対応したＭラインビデオ信号ＣＶＢＳMCとの差分値を、同一列に配列された画素（丸印にて示す）に対応したもの同士にて求める。例えば、図３においては、先ず、画素ＴＬに対応したＣＶＢＳTCと画素ＭＬに対応したＣＶＢＳMCとの差分値をライン間ビデオ差分信号ＷＲＥＬTCとして水平結合回路３５に供給する。尚、ここで得られたライン間ビデオ差分信号ＷＲＥＬTCをＷＲＥＬTC−１と称する。次に、画素ＴＣに対応したＣＶＢＳTCと画素ＭＣに対応したＣＶＢＳMCとの差分値をライン間ビデオ差分信号ＷＲＥＬTCとして水平結合回路３５に供給する。尚、ここで得られたライン間ビデオ差分信号ＷＲＥＬTCをＷＲＥＬTC−２と称する。次に、画素ＴＲに対応したＣＶＢＳTCと画素ＭＲに対応したＣＶＢＳMCとの差分値をライン間ビデオ差分信号ＷＲＥＬTCとして水平結合回路３５に供給する。尚、ここで得られたライン間ビデオ差分信号ＷＲＥＬTCをＷＲＥＬTC−３と称する。
【００２１】
水平結合回路３５は、ライン間ビデオ差分信号ＷＲＥＬTCを各画素毎にサンプリングして得たサンプル値系列中の各サンプル値を処理対象とし、その処理対象サンプル値の前後に隣接するサンプル値の内で大なる方のサンプル値と、上記処理対象サンプル値との加算を行う。すなわち、水平結合回路３５は、先ず、図３に示す如き中央列の左に隣接する列に属する画素（ＴＬ、ＭＬ）に対応したＷＲＥＬTC−１と、右側に隣接する列に属する画素（ＴＲ、ＭＲ）に対応したＷＲＥＬTC−３との大小比較を行う。そして、水平結合回路３５は、かかる大小比較の結果、両者の内で大であると判定された方と、中央列に属する画素（ＴＣ、ＭＣ）に対応したＷＲＥＬTC−２との加算結果を、輝度信号成分に対する上方向の垂直相関の度合いを示す第１上方輝度相関値信号ＷＲＥＬＨTCとして平均化回路３９に供給するのである。
【００２２】
減算器２４は、上記Ｕラインビデオ信号ＣＶＢＳUCからＭラインビデオ信号ＣＶＢＳMCを減算しその減算結果を絶対値回路３０に供給する。絶対値回路３０は、かかる減算結果の絶対値を求めこれをライン間ビデオ差分信号ＷＲＥＬUCとして水平結合回路３６に供給する。すなわち、減算器２４及び絶対値回路３０は、例えば図３に示す如き、隣接する５つの水平走査ラインＴ、Ｕ、Ｍ、Ｄ、Ｂの内のラインＵに対応したＵラインビデオ信号ＣＶＢＳUCと、ラインＭに対応したＭラインビデオ信号ＣＶＢＳMCとの差分値を、同一列に配列された画素（丸印にて示す）に対応したもの同士にて求める。例えば、図３においては、先ず、画素ＵＬに対応したＣＶＢＳUCと画素ＭＬに対応したＣＶＢＳMCとの差分値をライン間ビデオ差分信号ＷＲＥＬUCとして水平結合回路３６に供給する。尚、ここで得られたライン間ビデオ差分信号ＷＲＥＬUCをＷＲＥＬUC−１と称する。次に、画素ＵＣに対応したＣＶＢＳUCと画素ＭＣに対応したＣＶＢＳMCとの差分値をライン間ビデオ差分信号ＷＲＥＬUCとして水平結合回路３６に供給する。尚、ここで得られたライン間ビデオ差分信号ＷＲＥＬUCをＷＲＥＬUC−２と称する。次に、画素ＵＲに対応したＣＶＢＳUCと画素ＭＲに対応したＣＶＢＳMCとの差分値をライン間ビデオ差分信号ＷＲＥＬUCとして水平結合回路３６に供給する。尚、ここで得られたライン間ビデオ差分信号ＷＲＥＬUCをＷＲＥＬUC−３と称する。
【００２３】
水平結合回路３６は、ライン間ビデオ差分信号ＷＲＥＬUCを各画素毎にサンプリングして得たサンプル値系列中の各サンプル値を処理対象とし、その処理対象サンプル値の前後に隣接するサンプル値の内で大なる方のサンプル値と、上記処理対象サンプル値との加算を行う。すなわち、水平結合回路３６は、先ず、図３に示す如き中央列の左に隣接する列に属する画素（ＵＬ、ＭＬ）に対応したＷＲＥＬUC−１と、右側に隣接する列に属する画素（ＵＲ、ＭＲ）に対応したＷＲＥＬUC−３との大小比較を行う。そして、水平結合回路３６は、かかる大小比較の結果、両者の内で大であると判定された方と、中央列に属する画素（ＵＣ、ＭＣ）に対応したＷＲＥＬUC−２との加算結果を、輝度信号成分に対する上方向の垂直相関の度合いを示す第２上方輝度相関値信号ＷＲＥＬＨUCとして平均化回路３９に供給するのである
平均化回路３９は、上記の如き第１上方輝度相関値信号ＷＲＥＬＨTCと第２上方輝度相関値信号ＷＲＥＬＨUCとの平均値を求めこの平均値を上方輝度相関値信号ＹＲＥＬTCとして最小値セレクタ４１に供給する。尚、Ｍラインの輝度帯域信号とＵライン及びＴラインの輝度帯域信号との相関が強いほど、上方輝度相関値信号ＹＲＥＬTCの値は小になる。
【００２４】
このように、減算器（２３、２４）、絶対値回路（２９、３０）、水平結合回路（３５、３６）及び平均化回路３９では、図３に示す如きＭラインを処理対象とし、このＭラインよりも１ライン上方のＵライン及び２ライン上方のＴライン各々に対応した複合ビデオ信号を用いることにより、複合ビデオ信号中の輝度信号成分に対する上方向における垂直相関量を求めているのである。
【００２５】
減算器２５は、上記Ｄラインビデオ信号ＣＶＢＳDCからＭラインビデオ信号ＣＶＢＳMCを減算しその減算結果を絶対値回路３１に供給する。絶対値回路３１は、かかる減算結果の絶対値を求めこれをライン間ビデオ差分信号ＷＲＥＬDCとして水平結合回路３７に供給する。すなわち、減算器２５及び絶対値回路３１は、例えば図３に示す如き、５つの水平走査ラインＴ、Ｕ、Ｍ、Ｄ、Ｂの内のラインＤに対応したＤラインビデオ信号ＣＶＢＳDCと、ラインＭに対応したＭラインビデオ信号ＣＶＢＳMCとの差分値を、同一列に配列された画素（丸印にて示す）に対応したもの同士にて求める。例えば、図３においては、先ず、画素ＤＬに対応したＣＶＢＳDCと画素ＭＬに対応したＣＶＢＳMCとの差分値をライン間ビデオ差分信号ＷＲＥＬDCとして水平結合回路３７に供給する。尚、ここで得られたライン間ビデオ差分信号ＷＲＥＬDCをＷＲＥＬDC−１と称する。次に、画素ＤＣに対応したＣＶＢＳDCと画素ＭＣに対応したＣＶＢＳMCとの差分値をライン間ビデオ差分信号ＷＲＥＬDCとして水平結合回路３７に供給する。尚、ここで得られたライン間ビデオ差分信号ＷＲＥＬDCをＷＲＥＬDC−２と称する。次に、画素ＤＲに対応したＣＶＢＳDCと画素ＭＲに対応したＣＶＢＳMCとの差分値をライン間ビデオ差分信号ＷＲＥＬDCとして水平結合回路３７に供給する。尚、ここで得られたライン間ビデオ差分信号ＷＲＥＬDCをＷＲＥＬDC−３と称する。
【００２６】
水平結合回路３７は、ライン間ビデオ差分信号ＷＲＥＬDCを各画素毎にサンプリングして得たサンプル値系列中の各サンプル値を処理対象とし、その処理対象サンプル値の前後に隣接するサンプル値の内で大なる方のサンプル値と、上記処理対象サンプル値との加算を行う。すなわち、水平結合回路３７は、先ず、図３に示す如き中央列の左に隣接する列に属する画素（ＤＬ、ＭＬ）に対応したＷＲＥＬDC−１と、右側に隣接する列に属する画素（ＤＲ、ＭＲ）に対応したＷＲＥＬDC−３との大小比較を行う。そして、水平結合回路３７は、かかる大小比較の結果、両者の内で大であると判定された方と、中央列に属する画素（ＤＣ、ＭＣ）に対応したＷＲＥＬDC−２との加算結果を、複合ビデオ信号中の輝度信号成分に対する下方向の垂直相関の度合いを示す第１下方輝度相関値信号ＷＲＥＬＨDCとして平均化回路４０に供給するのである。
【００２７】
減算器２６は、上記Ｂラインビデオ信号ＣＶＢＳBCからＭラインビデオ信号ＣＶＢＳMCを減算しその減算結果を絶対値回路３２に供給する。絶対値回路３２は、かかる減算結果の絶対値を求めこれをライン間ビデオ差分信号ＷＲＥＬBCとして水平結合回路３８に供給する。すなわち、減算器２６及び絶対値回路３２は、例えば図３に示す如き、５つの水平走査ラインＴ、Ｕ、Ｍ、Ｄ、Ｂの内のラインＢに対応したＢラインビデオ信号ＣＶＢＳBCと、ラインＭに対応したＭラインビデオ信号ＣＶＢＳMCとの差分値を、同一列に配列された画素（丸印にて示す）に対応したもの同士にて求める。例えば、図３においては、先ず、画素ＢＬに対応したＣＶＢＳBCと画素ＭＬに対応したＣＶＢＳMCとの差分値をライン間ビデオ差分信号ＷＲＥＬBCとして水平結合回路３８に供給する。尚、ここで得られたライン間ビデオ差分信号ＷＲＥＬBCをＷＲＥＬBC−１と称する。次に、画素ＢＣに対応したＣＶＢＳBCと画素ＭＣに対応したＣＶＢＳMCとの差分値をライン間ビデオ差分信号ＷＲＥＬBCとして水平結合回路３８に供給する。尚、ここで得られたライン間ビデオ差分信号ＷＲＥＬBCをＷＲＥＬBC−２と称する。次に、画素ＢＲに対応したＣＶＢＳBCと画素ＭＲに対応したＣＶＢＳMCとの差分値をライン間ビデオ差分信号ＷＲＥＬBCとして水平結合回路３８に供給する。尚、ここで得られたライン間ビデオ差分信号ＷＲＥＬBCをＷＲＥＬBC−３と称する。
【００２８】
水平結合回路３８は、ライン間ビデオ差分信号ＷＲＥＬBCを各画素毎にサンプリングして得たサンプル値系列中の各サンプル値を処理対象とし、その処理対象サンプル値の前後に隣接するサンプル値の内で大なる方のサンプル値と、上記処理対象サンプル値との加算を行う。すなわち、水平結合回路３８は、先ず、図３に示す如き中央列の左に隣接する列に属する画素（ＢＬ、ＭＬ）に対応したＷＲＥＬBC−１と、右側に隣接する列に属する画素（ＢＲ、ＭＲ）に対応したＷＲＥＬBC−３との大小比較を行う。そして、水平結合回路３８は、かかる大小比較の結果、両者の内で大であると判定された方と、中央列に属する画素（ＢＣ、ＭＣ）に対応したＷＲＥＬBC−２との加算結果を、複合ビデオ信号中の輝度信号成分に対する下方向の垂直相関の度合いを示す第２下方輝度相関値信号ＷＲＥＬＨBCとして平均化回路４０に供給するのである。
【００２９】
平均化回路４０は、上記第１下方輝度相関値信号ＷＲＥＬＨDCと第２下方輝度相関値信号ＷＲＥＬＨBCとの平均値を求めこの平均値を下方ビデオ相関値信号ＹＲＥＬBCとして最小値セレクタ４２に供給する。尚、Ｍラインの輝度帯域信号とＤライン及びＢラインの輝度帯域信号との相関が強いほど、下方輝度相関値信号ＹＲＥＬBCの値は小になる。
【００３０】
このように、減算器（２５、２６）、絶対値回路（３１、３２）、水平結合回路（３７、３８）及び平均化回路４０では、図３に示す如きＭラインを処理対象とし、このＭラインよりも１ライン下方のＤライン及び２ライン下方のＢライン各々に対応した複合ビデオ信号を用いることにより、複合ビデオ信号中の輝度信号成分に対する下方向における垂直相関量を求めているのである。
【００３１】
最小値セレクタ４１は、上方色相関値信号ＣＲＥＬＨTC及び上方輝度相関値信号ＹＲＥＬTCの内で小なる方、つまり相関の強い方を選択し、これを上方相関値信号ＴＲＥＬとして図１に示すセレクタ１５に供給する。
【００３２】
最小値セレクタ４２は、下方色相関値信号ＣＲＥＬＨBC及び下方輝度相関値信号ＹＲＥＬBCの内で小なる方、つまり相関の強い方を選択し、これを下方相関値信号ＢＲＥＬとしてセレクタ１５に供給する。
【００３３】
セレクタ１５は、上方相関値信号ＴＲＥＬと下方相関値信号ＢＲＥＬとの大小比較を行い、その比較結果に基づいて、上方コム処理結果信号Ｔcomb、下方コム処理結果信号Ｂcomb及び適応コム処理結果信号Ａcombの内から１つを選択し、これをバンドパスフィルタ１６に供給する。
【００３４】
つまり、セレクタ１５は、
ＴＲＥＬ＜ＢＲＥＬ／Ｋ
Ｋ：２又は４
なる場合には、上方コム処理結果信号Ｔcombを選択し、これをバンドパスフィルタ１６に供給する。
【００３５】
又、セレクタ１５は、
ＢＲＥＬ＜ＴＲＥＬ／Ｋ
なる場合には、下方コム処理結果信号Ｂcombを選択し、これをバンドパスフィルタ１６に供給する。
【００３６】
又、その他の場合、つまり、
ＢＲＥＬ≧ＴＲＥＬ／Ｋ、又はＴＲＥＬ≧ＢＲＥＬ／Ｋ
なる場合には、セレクタ１５は、適応コム処理結果信号Ａcombを選択しこれをバンドパスフィルタ１６に供給する。
【００３７】
すなわち、セレクタ１５は、上方相関値信号ＴＲＥＬが下方相関値信号ＢＲＥＬに対して大幅に小なる場合（ＴＲＥＬ＜ＢＲＥＬ／Ｋ）、つまり、実質的に下方向に対する相関がなく上方向に対する相関のみが有る場合には、上方コム処理結果信号Ｔcombをバンドパスフィルタ１６に供給する。又、セレクタ１５は、下方相関値信号ＢＲＥＬが上方相関値信号ＴＲＥＬに対して大幅に小なる場合（ＢＲＥＬ＜ＴＲＥＬ／Ｋ）、つまり、実質的に上方向に対する相関がなく下方向に対する相関のみが有る場合には、下方コム処理結果信号Ｂcombをバンドパスフィルタ１６に供給する。そして、上方相関値信号ＴＲＥＬと下方相関値信号ＢＲＥＬとの差が所定値よりも小となる場合、つまり上方向に対する相関と下方向に対する相関とに大幅な差異が無い場合には、セレクタ１５は、適応コム処理結果信号Ａcombをバンドパスフィルタ１６に供給するのである。
【００３８】
バンドパスフィルタ１６は、適応コムフィルタ１１及びセレクタ１５での処理に伴うアーチファクトの影響を緩和すべく、セレクタ１５から供給された信号（Ｔcomb、Ｂcomb、又はＡcomb）に対して色帯域成分を通過させるフィルタリング処理を施して得られた信号を色帯域信号ＣＲとしてバンドパスフィルタ１７及び減算器２０に供給する。バンドパスフィルタ１７は、輝度信号成分の漏れ込みを防止すべく、色帯域信号ＣＲに対して色帯域成分を通過させるフィルタリング処理を施して得られた信号を色信号として出力する。遅延回路１４は、上記Ｍラインフィルタ７から送出されたＭラインビデオ信号ＣＶＢＳMCを、適応コムフィルタ１１、セレクタ１５及びバンドパスフィルタ１６各々によって費やされた総処理時間と同一時間だけ遅延させてから減算器２０に供給する。
【００３９】
減算器２０は、遅延回路１４を介して供給されたＭラインビデオ信号ＣＶＢＳMCから上記色帯域信号ＣＲを減算することにより輝度帯域信号を抽出し、この輝度帯域信号を遅延回路１９に供給する。遅延回路１９は、かかる輝度帯域信号を、バンドパスフィルタ１７によって費やされた処理時間と同一時間だけ遅延させたものを輝度信号として出力する。
【００４０】
以上の如く、図１及び図２に示されるＹＣ分離回路においては、先ず、複合ビデオ信号を１水平走査ライン分毎に処理対象とし、その処理対象ラインよりも上方に位置する上方ラインとの上方相関量（ＴＲＥＬ）と、処理対象ラインよりも下方に位置する下方ラインとの下方相関量（ＢＲＥＬ）とを夫々求める。尚、かかる相関量を求めるにあたり、複合ビデオ信号中から抽出した色副搬送波帯域信号（ＢＰＦ）に基づく色信号成分に対する上方向の相関量（ＣＲＥＬＨTC）と、複合ビデオ信号に基づく輝度信号成分に対する上方向の相関量（ＹＲＥＬTC）との内で小なる方を上方相関量（ＴＲＥＬ）とする。つまり、色信号成分に対する上方向の相関量と、輝度信号成分に対する上方向の相関量との内で相関の強い方を最終的な上方向の相関量として選出するのである。同様に、複合ビデオ信号中から抽出した色副搬送波帯域信号に基づく色信号成分に対する下方向の相関量（ＣＲＥＬＨBC）と、複合ビデオ信号に基づく輝度信号成分に対する下方向の相関量（ＹＲＥＬBC）との内で小なる方を下方相関量（ＢＲＥＬ）とする。つまり、色信号成分に対する下方向の相関量と、輝度信号成分に対する下方向の相関量との内で相関の強い方を最終的な下方向の相関量として選出するのである。
【００４１】
そして、下方相関量を（１／Ｋ）倍した値よりも上方相関量の方が小である場合には、上方コム処理結果信号（Ｔcomb）を色信号として得る。つまり、上方向の相関しかない場合には、処理対象ライン及び処理対象ラインよりも２ラインだけ上方に位置する上方ライン各々に対応した色副搬送波帯域信号に対してコムフィルタリング処理を施して得られた上方コム処理結果信号を、複合ビデオ信号中から分離抽出した色信号として出力するのである。又、上方相関量を（１／Ｋ）倍した値よりも下方相関量の方が小である場合には、下方コム処理結果信号（Ｂcomb）を色信号として得る。つまり、下方向の相関しかない場合には、処理対象ライン及び処理対象ラインよりも２ラインだけ下方に位置する下方ライン各々に対応した色副搬送波帯域信号に対してコムフィルタリング処理を施して得られた下方コム処理結果信号を、複合ビデオ信号中から分離抽出した色信号として出力するのである。又、上方相関量と下方相関量との差が所定値よりも小となる場合には、適応コム処理結果信号（Ａcomb）を色信号として得る。つまり、上方向及び下方向の双方に相関がある場合には、上記の如き、処理対象ライン、上方ライン及び下方ラインなる３つのライン各々に対応した色副搬送波帯域信号に対してコムフィルタリング処理を施して得られた適応コム処理結果信号を、複合ビデオ信号中から分離抽出した色信号として出力するのである。
【００４２】
かかる構成によれば、例えば図４〜図７に示す如き各種絵柄を表す複合ビデオ信号が供給された場合にも、この複合ビデオ信号から精度良く輝度信号及び色信号の分離抽出が可能となる。
【００４３】
尚、図４は水平走査ラインＱを境界にして上下に互いに異なる単色画像、図５は縦線が連続配置された画像、図６は水平走査ラインＱを境界にして上側に単色、下側に縦線が連続配置された画像、図７は水平走査ラインＱを境界にして上下に互いに異なる間隔にて縦線が連続配置された画像を夫々示す図である。
【００４４】
すなわち、図１及び図２に示されるＹＣ分離回路によれば、図４〜図７に示される各画像内の着目点ＣＭにおいて、
上及び下方向のいずれか一方のみに色成分に対する相関が強い場合（図４）、  上下両方向に輝度成分に対する相関が強い場合（図５）、
上方向に色成分に対する相関が強く下方向に輝度成分に対する相関が強い場合（図６）、
上下両方向に輝度成分（互いに水平方向の周波数が異なる）に対する相関が強い場合（図７）、
のいずれの場合でも、精度良く輝度信号及び色信号の分離抽出ができるようになるので、クロスカラー及びドット妨害を抑制させた良好な画像表示が可能となる。
【図面の簡単な説明】
【００４５】
【図１】本発明によるＹ／Ｃ分離回路の構成を示す図である。
【図２】図１に示される相関検出器１０の内部構成を示す図である。
【図３】隣接する５つの水平走査ライン各々上の各画素を示す図である。
【図４】上方向及び下方向のいずれか一方のみに色成分に対する相関が強い画像の一例を示す図である。
【図５】上下両方向に輝度成分に対する相関が強い画像の一例を示す図である。
【図６】上方向に色成分に対する相関が強く下方向に輝度成分に対する相関が強い画像の一例を示す図である。
【図７】上下両方向に輝度成分（互いに水平方向の周波数が異なる）に対する相関が強い画像の一例を示す図である。
【符号の説明】
【００４６】
１０    相関検出器
１１    適応コムフィルタ
１５    セレクタ
【図１】
2006157576.tif 000003
【図２】
2006157576.tif 000004
【図３】
2006157576.tif 000005
【図４】
2006157576.tif 000006
【図５】
2006157576.tif 000007
【図６】
2006157576.tif 000008
【図７】
2006157576.tif 000009